(57)【要約】【課題】拭清部に清潔な清掃用の液体を供給し、拭清部をばらつき無く湿潤状態とするウェットタイプの清掃具を提供することを課題としている。【解決手段】清掃用の液体を供給する液体供給部を、吸水性を有する拭清部２１と、該拭清部２１のフレーム１９との間に、清掃用液体を拭清部２１に直接供給するように設け、杆状の柄部１４の先端側に、拭清部２１を設けた。また拭清部２１を、弾力性を有する連続気泡体から構成し、液体供給部を、拭清部２１のフレーム１９に対向する面に沿って延出するパイプ２７と、該パイプ２７に穿設された排水口２８から構成し、該パイプ２７に柄部１４を介して清掃用液体を供給せしめた。【選択図】          図４
2004305473.tif 000002
【特許請求の範囲】
【請求項１】
杆状の柄部（１４）の先端側に、吸水性を有する拭清部（２１）がフレーム（１９）に取り付けられて設けられるとともに、清掃用の液体を供給する液体供給部を備えたモップ状の清掃具において、上記液体供給部を、フレーム（１９）と拭清部（２１）との間に設け、清掃用液体を拭清部（２１）に直接供給するウェットタイプの清掃具。
【請求項２】
拭清部（２１）が、弾力性を有する連続気泡体からなる請求項１のウェットタイプの清掃具。
【請求項３】
液体供給部が、拭清部（２１）のフレーム（１９）に対向する面に沿って延出するパイプ（２７）と、該パイプ（２７）に穿設された排水口（２８）からなり、該パイプ（２７）に柄部（１４）を介して清掃用液体が供給される請求項１又は２のウェットタイプの清掃具。
【請求項４】
パイプ（２７）に複数の排水口（２８）が開口せしめられた請求項２請求項３のウェットタイプの清掃具。
【請求項５】
フレーム（１９）を拭清部（２１）が圧縮されるように折り畳み自在に構成し、フレーム（１９）の折り畳みを操作する折り畳み操作具（３１）を柄部（１４）側に設けた請求項１又は２又は３又は４のウェットタイプの清掃具。
【請求項６】
折り畳み操作具（３１）と柄部（１４）側との間に、フレーム（１９）を折り畳み状態で維持する折り畳み維持機構を設けた請求項５のウェットタイプの清掃具。
【請求項７】
折り畳み維持機構を、フレーム（１９）の上面側に突設された凸部（３９）と、該凸部（３９）に係脱自在に弾力的に係合する折り畳み操作具（３１）側の係合部（３６）とから構成し、折り畳み操作具（３１）のフレーム（１９）の折り畳み操作に連続した可逆的な操作によって、凸部（３９）と係合部（３６）との係脱が行われる請求項６のウェットタイプの清掃具。
【請求項８】
フレーム（１９）側に、拭清部（２１）の清掃面を磁性体からなる清掃部分に押接せしめるように磁石（２６）を設けた請求項１又は２又は３又は４又は５又は６又は７のウェットタイプの清掃具。
【請求項９】
清掃用の液体を磁気的に活性する磁気流体活性化装置を設け、該磁気流体活性化装置によって活性された液体を拭清部（２１）に供給する構成である請求項１又は２又は３又は４又は５又は６又は７又は８のウェットタイプの清掃具。
【発明の詳細な説明】
【０００１】
【発明の属する技術分野】
この発明は、モップ状のヘッドの先端側に設けられた湿潤状態の拭清部により清掃を行うウェットタイプの清掃具に関する。
【０００２】
【従来の技術】
従来スポンジを拭清手段として先端に設け、清掃したい部分に清掃ノズルから水（殺菌水）を供給し、拭清手段（スポンジ）で清掃したい部分を清掃する清掃具が公知となっている（例えば特許文献１参照）。また先端に設けられたスポンジモップパッドに水分を含ませて清掃するとともに、スポンジモップパッドを折り畳み、スポンジモップパッドの水を絞ることができる清掃具も公知となっている（例えば特許文献２の特に従来の技術及び図８参照）。そしてタンクから清掃具に水を供給し、清掃具から水を噴射させて清掃を行うことができる清掃具も公知となっている（例えば特許文献２の特に従来の技術及び図８参照）。
【０００３】
【特許文献１】
特開２００１−０２９３０９号公報
【特許文献２】
特開２００２−１８６５７４号公報（第２頁，図８）
【特許文献３】
特表平０８−５０７２２３号公報
【０００４】
【発明が解決しようとする課題】
しかし上記いずれの清掃具も、清掃部分に対して清掃用の水を供給し、該水と拭清部（スポンジ）とによって清掃部分を清掃するものであり、スポンジには、清掃部分から間接的に水が供給されるため、スポンジの湿潤状態にバラツキがある他、スポンジは汚れた水によって湿潤状態となり、清掃にむらが発生する場合がある他、清掃効率が低いという欠点があった。
【０００５】
【課題を解決するための手段】
上記課題を解決するための本発明のウェットタイプの清掃具は、杆状の柄部１４の先端側に、吸水性を有する拭清部２１がフレーム１９に取り付けられて設けられるとともに、清掃用の液体を供給する液体供給部を備えたモップ状の清掃具において、上記液体供給部を、フレーム１９と拭清部２１との間に設け、清掃用液体を拭清部２１に直接供給することを第１の特徴としている。
【０００６】
第２に拭清部２１が、弾力性を有する連続気泡体からなることを特徴としている。
【０００７】
第３に液体供給部が、拭清部２１のフレーム１９に対向する面に沿って延出するパイプ２７と、該パイプ２７に穿設された排水口２８からなり、該パイプ２７に柄部１４を介して清掃用液体が供給されることを特徴としている。
【０００８】
第４にパイプ２７に複数の排水口２８が開口せしめられたことを特徴としている。
【０００９】
第５にフレーム１９を拭清部２１が圧縮されるように折り畳み自在に構成し、フレーム１９の折り畳みを操作する折り畳み操作具３１を柄部１４側に設けたことを特徴としている。
【００１０】
第６に折り畳み操作具３１と柄部１４側との間に、フレーム１９を折り畳み状態で維持する折り畳み維持機構を設けたことを特徴としている。
【００１１】
第７に折り畳み維持機構を、フレーム１９の上面側に突設された凸部３９と、該凸部３９に係脱自在に弾力的に係合する折り畳み操作具３１側の係合部３６とから構成し、折り畳み操作具３１のフレーム１９の折り畳み操作に連続した可逆的な操作によって、凸部３９と係合部３６との係脱が行われることを特徴としている。
【００１２】
第８にフレーム１９側に、拭清部２１の清掃面を磁性体からなる清掃部分に押接せしめるように磁石２６を設けたことを特徴としている。
【００１３】
第９に清掃用の液体を磁気的に活性する磁気流体活性化装置を設け、該磁気流体活性化装置によって活性された液体を拭清部２１に供給する構成であることを特徴としている。
【００１４】
【発明の実施の形態】
図１は本発明の清掃具の正面斜視図であり、清掃用の水（清掃用液体）を収容したタンク部１と、先端にモップヘッド２を備えたモップ部３とからなる。なお上記水は、清掃用の洗剤等を含有したものでよく、以下本実施形態において、「水」は、水に洗剤等を混合させた混合水等も含むものとする。
【００１５】
そしてタンク部１側からモップ部３側に水を供給し、モップヘッド２を、例えば自動車のボディ等の清掃部分に押接させ、且つモップヘッド２を清掃部分上で押接状態のまま移動させることによって、上記水を使用して清掃部分の清掃を行うことができる。
【００１６】
本実施形態のタンク部１は、図２に示されるように、外装ケース４の内部に着脱自在にボトル状のタンク６を備え、蛇腹状のホース７を介してモップ部３と接続されている。そして上記タンク６内に前述の清掃用の水が収容されており、外装ケースにおける、開閉自在な蓋８を取り外し、タンク６を取り出すことによって、タンク６への給水（水の補給）が可能となっている。
【００１７】
一方上記ホース７内には、タンク６内の水をモップ部３側に供給する図示しないホース側パイプが収容されている。そしてホース７の先端には、モップ部３との接続部７ａが設けられている。またタンク６とホース側パイプとの間にはタンク６内の水をホース側パイプに送り出す電動式のポンプ（図示しない）が設けられている。さらに上記ポンプの入り切りを操作するスイッチ９がホース７の先端側の外周面に取り付けられている。なおスイッチへの配線はホース７内に収容されている。
【００１８】
そして前述のポンプはバッテリ又はＡＣ電源により駆動され、作業者は、タンク部１内にバッテリを搭載、又はポンプ用のＡＣプラグをＡＣコンセントに差込み、上記スイッチ９を入り作動させることによってポンプを駆動し、タンク６内の水をホース側パイプに供給することができる。
【００１９】
またホース側パイプの基端部（タンク６側の端部）側に、磁力により流体の活性化を行う（流体のクラスターサイズを減少させ、流体のイオン化状態を変化させる）磁気流体活性化装置を取り付け、上記のように活性化された水をモップ部３側に供給するように構成してもよく、この場合清掃用の水が活性化されているため、清掃効率が向上する。
【００２０】
なお本実施形態において、タンク部１には、上方側に取っ手（把持部）１１が設けられており、作業者は把持部１１によりタンク部６を容易に持つことができる。またタンク部１には肩掛け用のベルト１２も取り付けられており、作業者は該ベルト１２を肩に掛けてタンク部６を持つこともできる。さらにタンク部１には、ホース７のホルダ１３も設けられている。
【００２１】
一方前述のモップ部３は、図３に示されるように、杆状の柄部１４の先端側に連結部１６を介してモップヘッド２が取り付けられた構造となっている。このとき連結部１６は、ユニバーサルジョイント、又は柄部１４に対してモップヘッド２を少なくとも直交する２方向に傾動させることが可能な従来公知なジョイントからなり、モップヘッド２は連結部１６により柄部１４に対して少なくとも２方向に傾斜揺動可能に取り付けられる。
【００２２】
一方上記柄部１４は、中空のパイプ状をなし、基端部（モップヘッド２の反対側の端部）が前述のホース７の接続部７ａに接続されている。そして上記柄部１４には、上記接続部７ａとの接続によって、前述のホース側パイプと接続され、該ホース側パイプから水が供給される柄部側パイプ（図示しない）が内部に挿入されており、該柄部側パイプによってモップヘッド２側に水が供給されている。
【００２３】
また図４に示されるように、柄部１４におけるモップヘッド２の近接位置には、前述の柄部側パイプから水が供給される噴水ノズル１８が設けられており、前述のポンプの駆動によって、該噴水ノズル１８から水を噴出させることができるように構成されている。
【００２４】
前述のモップヘッド２は、図４〜図７に示されるように、連結部１６に取り付けられるフレーム１９と、該フレーム１９の底面（貼着面１９ａ）に貼着され、一部への液体の供給により全体が湿潤状態となる吸水性及び弾力性を有する拭清部２１とを備えている。なお本実施形態の場合、拭清部２１は、スポンジ等の連続気泡体からなり、水が供給されると、該水を吸い込み、湿潤状態となる。そして拭清部２１におけるフレーム１９の貼着面１９ａに貼着される面２１ａの対向面２１ｂが清掃部分に接して清掃を行う清掃面となっている。
【００２５】
上記フレーム１９は、上面側における左右方向の中央に連結部１６が取り付けられており、該連結部１６が取り付けられる中央部２２の左右両側に、該中央部２２に対して屈曲可能に屈曲片２３が設けられた構造となっている。これにより、フレーム１９は、中央部２２を中心として折り畳み（屈曲）可能となっている。
【００２６】
ただし両屈曲片２３の間には、上面側にスプリング２４が設けられており、該スプリング２４は通常両屈曲片２３と中央部２２の底面が平板状をなすように、両屈曲片２４を開状態に付勢している。このためフレーム１９は、通常底面が略平板状をなしている。
【００２７】
またフレーム１９の底面（貼着面）１９ａには、図７に示されるように、両屈曲片２３の屈曲の妨げとならないように、磁石２６が行列状に複数取り付けられている。このとき各磁石２６は全て同じ磁極（Ｎ極又はＳ極）が、フレーム１９の貼着面１９ａ側に向くように取り付けられ、各磁石２６は全て同じ磁極が外側を向いた状態となっている。
【００２８】
さらにフレーム１９の底面側には、前述の柄部側パイプから水が供給される流水路２７が下方に突出して形成されている。なお本実施形態の流水路２７は、半円断面を有するパイプ状をなし、クロス状に設けられている。且つ中央部２２と屈曲片２３との境界部分は蛇腹状の屈曲部２７ａをなしており、屈曲片２３の屈曲を妨げることはない。
【００２９】
そして流水路２７には開口した排水口２８が複数設けられており、流水路２７に供給された水は排水口２８から排出され、上記拭清部２１に供給される。このため水は拭清部２１におけるフレーム１９の貼着面に貼着される面２１ａから拭清部２１に供給される。
【００３０】
これにより排水口２８から水を排出させ、拭清部２１を湿潤状態として、図８に示されるように、作業者Ａが拭清部２１の清掃面２１ｂを例えば自動車のボディ等の金属からなる清掃部分２９に接触させることによって、清掃部分２９を水と拭清部２１（スポンジ）によって清掃することができる。
【００３１】
このとき清掃部分２９が金属（磁性体）であると、フレーム１９に設けられた磁石２６により拭清部２１の清掃面が磁力により清掃部分２９に押接されるため、作業者は、拭清部２１の清掃部分２９への押接を小さな力で行うことができるとともに、拭清部２１の清掃部分２９に沿わせた移動は、磁力による吸着方向のせん断方向となるため、拭清部２１（清掃面２１ｂ）と清掃部分２９との押接状態を維持したままで柄部１４によって比較的容易に行うことができる。
【００３２】
また磁石２６は、拭清部２１とフレーム１９との間に設けられているため、外部に裸出することは無く、このため磁石２６によって清掃部分２９を傷つける等の不都合は無い。なお拭清部２１の周面２１ｃも清掃面として使用することはできるが、磁石２６による吸着作用は期待できない。
【００３３】
これにより比較的力の弱い女性や子供等でも本清掃具により清掃部分２９を容易に且つ円滑に清掃することができる。なお清掃状況に応じて前述の噴水ノズル１８から水を噴出させることもできるため、該水を清掃面２９側への供給水や、手洗い用の水として使用することができる。
【００３４】
また拭清部２１は、１つのブロックをなし、清掃面２１ｂに溝等が設けられていないため、拭き残し等が発生しない。また清掃用の水を拭清部２１に供給する液体供給部となる流水路２７が外部に裸出しないため、流水路２７が清掃部分２９と接することは無く、流水路２７が清掃部分２９を傷つける等の不都合はない。
【００３５】
このとき拭清部２１がスポンジ（弾力性を有する連続気泡体）から構成されているため、拭清部２１の弾力的な変形により、流水路２７はフレーム１９と拭清部２１との間に、拭清部２１（スポンジ）で覆われて収容され、フレーム１９から突出する流水路２７による拭清部２１の清掃面側の凹凸等が防止される。また流水路２７を収容するための収容部を特別に設ける必要も無い。
【００３６】
さらに流水路２７が、拭清部２１の貼着面に貼着される面２１ａに対して平行方向に沿って延出するパイプ状であり、フレーム１９と一体的であるため、清掃用の水は排水口２８以外から漏れることはなく、従ってフレーム１９側と拭清部２１との間のシールが不要となる。また流水路２７への水の供給も簡単な構成ですむ。
【００３７】
そして流水路２７の方向と排水口２８の配置によって、拭清部２１の任意の位置に容易に水を供給することができ、複数の排水口２８により拭清部２１への水の供給量も十分となる。また水は拭清部２１の清掃面２１ｂの反対側の面２１ａから供給されるため、常に清潔な水が拭清部２１に供給され、拭清部２１は清潔な水によって全体が湿潤状態となり、この状態で清掃を行うことができる。
【００３８】
なお噴水ノズル１８から水を噴出させる水噴出作業又は流水路２７からの水による拭清部２１の湿潤作業は、ホース７側に設けられたスイッチのＯＮ，ＯＦＦによるポンプの駆動によって容易に行うことができる。
【００３９】
このとき噴水ノズル１８及び流水路２７には、共に柄部１４側ホースによって水が供給されているため、噴水ノズル１８と流水路２７とに水を選択的に切り換えて送ることができるバルブや、噴水ノズル１８と流水路２７への水の送水をそれぞれ独立して入切りすることができるスイッチ等を設けることによって、噴水ノズル１８と流水路２７への水の供給をコントロールして状況に応じた清掃を行うことができる。
【００４０】
一方上記柄部１４には、上記モップヘッド２の屈曲を操作する屈曲操作部３１が設けられている。そして該屈曲操作部３１は作業者が操作を行う操作部３２と、モップヘッド２を屈曲せしめるガイド部３３と、ガイド部３３と操作部３２を連結せしめる連結部３４とから構成されている。
【００４１】
上記操作部３２は、上記柄部１４に軸心方向にスライド自在に外挿されたパイプ状をなしている。またガイド部３３は略Ｕ字状に湾曲された左右のガイド杆３６からなり、両ガイド杆３６は一端（下端）が柄部１４側に回動自在に支持され、図５に示されるように、先端に向かって平面視で略ハ字状に開いている。
【００４２】
そして上記連結部３４は、上記両ガイド杆３６の他端（上端）を回動自在に連結するブラケット３７と、両端が該ブラケット３７及び操作部３２側に回動自在に軸支されている連結ロッド３８とから構成されている。
【００４３】
これによりガイド部３３と操作部３２とがブラケット３７を介して連結部３４によって連結されており、操作部３２をスライド操作することによって、両ガイド杆３６を下端を軸心に揺動させることができる。そしてガイド杆３６を柄部１４の先端側に向かって揺動させると、左右のガイド杆３６の外縁３６ａが、それぞれモップヘッド２の屈曲片２３を押し、これに伴い屈曲片２３がスプリング２４の付勢力に抗して屈曲せしめられる。
【００４４】
このとき屈曲片２３の上面には位置決め用の突起部分（凸部）３９が設けられており、屈曲片２３を屈曲せしめる際は、ガイド杆３６は、弾力的に僅かに開角度が大きくなりながら、この突起部分３９を押す。そしてガイド杆３６を更に柄部１４の先端側に向かって揺動させると、図９に示されるように、突起部分３９とフレーム１９の上面１９ａとの段部４１にガイド杆３６が位置し、ガイド杆３６の内縁３６ｂと突起部分３９とが係合し、ガイド杆３６が屈曲片２３の屈曲状態を維持するように段部４１を弾力的に押圧する。
【００４５】
これによりガイド杆３６がフレーム１９側に弾力的に押接されて位置決めされ、図１０に示されるように、フレーム１９が屈曲状態に維持される。すなわち上記のようにガイド杆３６と突起部分３９とによって、フレーム１９を折り畳み状態で維持する折り畳み維持機構が構成されている。そしてこの折り畳み維持機構によって、操作部３２側に位置決め固定機構等を設けることなく、フレーム１９の屈曲状態を維持する機構をシンプルに構成することができる。
【００４６】
なおガイド杆３６と突起部分３９との係合状態から操作部３２を柄部１４の基端部側（ホース７側）にスライド移動させると、ガイド杆３６とフレーム１９の突起部分３９との係合が解除され、スプリング２４によってモップヘッド２は、前記のように清掃可能な状態にフレーム１９の底面が平板状となるように復帰する。以上のように屈曲操作部３１によるフレーム１９の折り畳み操作に連続した可逆的な操作によって、フレーム１９の屈曲状態が解除される。
【００４７】
そしてモップヘッド２を屈曲状態とすることによって、拭清部２１が２つ折りに屈曲されて水分が絞られ、清掃時の絞り作業を容易に行うことができる他、本清掃具をコンパクトに収納することができる。またガイド杆３６と突起部分３９とが係合しないように、操作部３２を往復スライドさせることによって、フレーム１９を開閉させることができ、拭清部２１の絞り作業を容易に行うことができる。
【００４８】
このとき前述の磁石２６は、前述のように全て同じ磁極が拭清部２１側に向いてフレーム１９に取り付けられているため、モップヘッド２を屈曲状態とする際は、両屈曲片２３側に取り付けられた磁石２６が互いに向かい合う状態となり、つまり磁石２６の反発力に抗する必要がある。
【００４９】
このためモップヘッド２は、スプリング２４だけでなく、磁石２６の反発力によっても開状態に付勢されており、操作部３２の往復スライドは、押し込み側（屈曲方向）への操作後は、比較的小さな力で操作部３２を戻すことができ、往復スライドを容易に行うことができ、拭清部２１の絞り作業を容易に行うことができる。
【００５０】
また一方の屈曲片２３側に取り付けられる磁石２６と、他方の屈曲片２３側に取り付けられる磁石２６とを、互いに逆方向の磁極が外側（拭清部２１側）を向くように設けることにより、磁石２６の吸着力によって操作部３２の押し込み側（屈曲方向）への操作をアシストするように構成することもできる。
【００５１】
なお上記実施形態において、タンク部１は、作業者が手で持つ、又は肩等に掛けることを前提として、取っ手１１とベルト１２とが設けられているが、キャスター（図示しない）を取り付けて床や地面上等を移動させるように構成してもよい。
【００５２】
またモップ部３における柄部１４の先端に、図示しないワイパ等のアタッチメントを着脱自在に取り付けることができるアタッチメント取付け部（図示しない）を設け、必要な場合にワイパ等を清掃作業に使用できるように構成してもよい。
【００５３】
さらに柄部１４を従来公知の伸縮自在、且つ所定の長さでの固定が可能な伸縮パイプによって構成し、清掃個所に応じて長さ調節することができるようにしてもよい。このとき柄部１４を伸縮タイプとする場合は、柄部側パイプを例えばカール状とし、柄部側パイプを柄部１４の伸縮に対応させるように構成することが望ましい。
【００５４】
これにより柄部１４を伸ばすことによって作業者から比較的遠い位置の清掃を容易に行うことができ、また柄部１４を縮めることによって作業者から比較的近い位置の清掃を、柄部１４等に妨げられることなく容易に行うことができる。特に作業者から比較的遠い位置の清掃は、清掃箇所が磁性体金属の場合、拭清部２１が清掃箇所に密着するため、拭清部２１が清掃箇所から浮くことが防止され、清掃を円滑に行うことができる。
【００５５】
なお上記実施形態は、タンク部１からモップ部３にポンプによって水を強制的に供給する構造であるが、例えば柄部１４の基端部側を水道の蛇口とホースを介して接続することができるように構成することにより、モップ部３のみを水道の蛇口からの給水で使用することも可能となる。
【００５６】
これにより清掃場所の近くに水道の蛇口がある場合は、タンク部１を使用することなく、モップ部３のみで容易に清掃作業を行うことができる。
【００５７】
【発明の効果】
以上のように構成される本発明の構造によると、拭清部に直接供給される清掃用液体により、拭清部が湿潤状態とされるため、拭清部は全体がウェット状態となり円滑に清掃面の拭清を行うことができる他、清掃用液体の供給が拭清部の非清掃面より行われるため、清掃用液体は清潔な状態で拭清部に供給され、常に潤沢な清潔な清掃用液体により清掃を行うことができるという効果がある。また液体供給部が外部に裸出しないため、液体供給部が清掃部分と接することが無く、液体供給部によって清掃部分を傷つける等の不都合が防止されるという効果もある。
【００５８】
また拭清部を弾力性を有する連続気泡体から構成することによって、拭清部の弾力的な変形により、拭清部で覆うようにフレームと拭清部との間に、液体供給部を収容することができ、液体供給部による拭清部の清掃面側の凹凸等を防止することもできる。
【００５９】
さらに液体供給部を、拭清部のフレームに対向する面に沿って延出するパイプと、該パイプに穿設された排出口から構成し、該パイプに柄部を介して清掃用液体を供給する構成とすることにより、フレームと拭清部との間のシール等が不要となり、また拭清部の任意の位置に容易に清掃用液体を供給することができるという利点がある。なおパイプに複数の排出口を開口させることにより、拭清部への清掃用液体の供給量を増加させることができる。
【００６０】
一方フレームを拭清部が圧縮されるように折り畳み自在に構成し、フレームの折り畳みを操作する折畳み操作具を柄部側に設けると、折畳み操作具の操作によってフレームを折り畳み、拭清部を絞る作業を容易に行うことができる。特に折り畳み操作具と柄部側との間に、フレームを折り畳み状態で維持する折り畳み保持機構を設けるで、フレームを折り畳み状態で維持し、本ウェットタイプの清掃具をコンパクトに収納すること等も容易となる。
【００６１】
さらに折り畳み保持機構を、フレームの上面側に突設された凸部と、該凸部に係脱自在に弾力的に係合する折り畳み操作具側の係合部とから構成することにより、折り畳み保持機構を簡単に構成することができる他、折り畳み保持と折り畳み状態の解除の操作を容易に行うことが可能となる。
【００６２】
そして拭清部のフレーム側に、拭清部の清掃面を磁性体からなる清掃部分に押接せしめるように磁石を設けることによって、自動車のボディ（鉄）等の清掃時に、作業者は、拭清部（清掃面）の清掃部分への押接を小さな力で行うことができると共に、拭清部（清掃面）と清掃部分との押接状態を維持したままで拭清部を清掃部分内で移動させることができ、本ウェットタイプの清掃具により容易に且つ円滑に清掃を行うことができる。
【００６３】
また清掃用の液体を磁気的に活性する磁気流体活性化装置を設け、該磁気流体活性化装置によって活性された液体を拭清部に供給する構成とすることによって、この活性化された液体によって清掃が行われるため、清掃の効率が向上するという効果がある。
【図面の簡単な説明】
【図１】本清掃具の斜視図である。
【図２】タンク部分の要部正面図である。
【図３】モップ部の正面図である。
【図４】モップヘッド部分の側面図である。
【図５】モップヘッド部分の平面図である。
【図６】モップヘッド部分の底面図である。
【図７】拭清部を外した状態のモップヘッド部分の底面図である。
【図８】本清掃具による自動車の清掃状態を示す斜視図である。
【図９】モップヘッド部分の折り畳んだ状態の側面図である。
【図１０】モップヘッド部分を折り畳んだ状態のモップ部の要部斜視図である。
【符号の説明】
１４    柄部
１９    フレーム
２１    拭清部
２６    磁石
２７    流水路（パイプ）
２８    排水口
３１    屈曲操作部（折り畳み操作具）
３６    ガイド杆（係合部）
３９    突起部分（凸部）
【図１】
2004305473.tif 000003
【図２】
2004305473.tif 000004
【図３】
2004305473.tif 000005
【図４】
2004305473.tif 000006
【図５】
2004305473.tif 000007
【図６】
2004305473.tif 000008
【図７】
2004305473.tif 000009
【図８】
2004305473.tif 000010
【図９】
2004305473.tif 000011
【図１０】
2004305473.tif 000012